(57)【要約】【課題】読取対象物に対して正確な複写が可能となる照明装置、及び該照明装置を有する画像読取装置を提供する。【解決手段】原稿３を読み取るための読取光学系６〜８を有する画像読取装置２０１に備わる照明装置１０１は、導光体９と、該導光体と原稿との間に設けられ導光体に対して出、入射する光を拡散させる円筒レンズアレイ１５とを有する。円筒レンズアレイには、導光体の長手方向と垂直な方向に尾根線を有する凸部が上記長手方向に複数、並設されている。【選択図】図１
2009077005.tif 000002
【特許請求の範囲】
【請求項１】
読取対象物において主走査方向に沿った線状の読取対象位置の画像を読み取りかつ上記主走査方向に延在する読取光学系を有する画像読取装置に備わり、上記読取対象位置へ光を照射する照明装置であって、
上記主走査方向に延在し、かつ光を散乱させる散乱体を有し散乱した光を上記読取対象位置へ照射するよう導く導光体と、
上記導光体から照射される光の光軸方向において上記導光体と上記読取対象物との間にて上記主走査方向へ延在して設けられ、上記導光体に対して出、入射する光を拡散させる拡散部材と、
を備えたことを特徴とする照明装置。
【請求項２】
読取対象物において主走査方向に沿った線状の読取対象位置の画像を読み取りかつ上記主走査方向に延在する読取光学系を有する画像読取装置に備わり、上記読取対象位置へ光を照射する照明装置であって、
上記主走査方向に延在し、かつ光を散乱させる散乱体を有し散乱した光を上記読取対象位置へ照射するよう導く導光体と、
上記導光体から照射される光の光軸方向において上記導光体と上記読取対象物との間にて上記主走査方向へ延在して設けられ、上記導光体に対して、上記読取対象物からの反射光、及び上記読取対象物からの反射光の内、再び反射され上記読取対象位置に照射される光を拡散させる拡散部材と、
を備えたことを特徴とする照明装置。
【請求項３】
上記拡散部材は、上記主走査方向及び上記光軸方向に直交する方向に延在する凸部を有し該凸部を上記主走査方向に沿って複数並設してなる、請求項１又は２記載の照明装置。
【請求項４】
上記導光体は、上記読取対象位置へ照射する光を発生する光源と、該光源からの光を出射し曲率を有する光出射面と、上記光出射面に対向し上記散乱体が設けられる平坦面とを有する、請求項１から３のいずれか１項に記載の照明装置。
【請求項５】
上記導光体は、円柱形状にてなり、上記読取対象位置へ照射する光を発生する光源をさらに有し、
上記照明装置は、上記導光体と上記拡散部材との間にて上記主走査方向に沿って延在し上記導光体から出射した光を集光する円筒レンズをさらに備えた、請求項１から３のいずれか１項に記載の照明装置。
【請求項６】
上記円筒レンズは、凸状の円筒面と該円筒面に対向する平坦面とを有し、上記導光体に対向して上記円筒面が配向され、上記平坦面に上記拡散部材を一体的に形成している、請求項５記載の照明装置。
【請求項７】
請求項１から６のいずれか１項に記載の照明装置と、
上記照明装置から光が照射される読取対象物が載置される透明平板と、
上記読取対象物からの光が入射する読取光学系と、
上記読取光学系に接続され上記読取対象物の画像を読み取る読取センサと、
を備えたことを特徴とする画像読取装置。
【発明の詳細な説明】
【技術分野】
【０００１】
本発明は、照明装置、及び該照明装置を有する画像読取装置に関する。
【背景技術】
【０００２】
画像読取装置等に使用される従来の照明装置では、光源から放射された光を読み取り対象領域へレンズを通して効率よく導くため、導光体は、光源に近接して配置され導光損失の少ない円柱型が用いられる。さらに、導光体から放出された光を効率よく上記読み取り対象領域へ導くため、円筒レンズが上記導光体と組み合わされる（例えば特許文献１）。
【特許文献１】ＷＯ ２００６／０４９２０６ Ａ１
【発明の開示】
【発明が解決しようとする課題】
【０００３】
しかしながら、上述のような構成を有する従来の照明装置を用いた画像読取装置では、原稿面における上記読み取り対象領域にて反射あるいは散乱した照明光の一部が照明装置に入射し、再び、照明装置から原稿面に照射されるという現象が発生する。その結果、原稿面における画像の濃淡により、実質的に原稿面を照明する光の光量が変化し、読み取った画像の濃淡が、実際の画像の濃淡とは異なり、正確な複写ができないという問題があった。
【０００４】
例えば、白色の原稿面の中にわずかに黒色部分が存在する場合、白色部分からの散乱光が照明装置に戻り、再び原稿面に照射される。よって、黒色部分を照明する照明光の光量が増えることから、黒色部分は、実際の原稿面における黒色よりも白っぽく読み取られる。特に、白色部分と黒色部分との境界領域にて、その影響が大きく、原稿画像がにじんだ様に読み取られてしまうという問題があった。
【０００５】
本発明はこのような問題点を解決するためになされたもので、読取対象物に対して正確な複写が可能となる照明装置、及び該照明装置を有する画像読取装置を提供することを目的とする。
【課題を解決するための手段】
【０００６】
上記目的を達成するため、本発明は以下のように構成する。
即ち、本発明の第１態様における照明装置は、読取対象物において主走査方向に沿った線状の読取対象位置の画像を読み取りかつ上記主走査方向に延在する読取光学系を有する画像読取装置に備わり、上記読取対象位置へ光を照射する照明装置であって、導光体と、拡散部材とを備える。上記導光体は、上記主走査方向に延在し、かつ光を散乱させる散乱体を有し散乱した光を上記読取対象位置へ照射するように導く。上記拡散部材は、上記導光体から照射される光の光軸方向において上記導光体と上記読取対象物との間にて上記主走査方向へ延在して設けられ、上記導光体に対して出、入射する光を拡散させることを特徴とする。
【発明の効果】
【０００７】
本発明の第１態様における照明装置によれば、導光体に対して拡散部材を設けたことで、読取対象物で反射あるいは散乱された照明光の一部が照明装置に入射するときに、該入射光は拡散部材にて屈曲される。さらに、上記入射光が照明装置から再度、読取対象物へ出射されるときには、拡散部材は出射光を拡散する。よって拡散部材は、照明装置に備わる散乱体へ上記入射光が到達するのを低減し、かつ上記出射光が読取対象物の読取対象位置へ直接照射されるのを低減する。したがって、読取対象位置における光量の増加は抑えられる。その結果、例えば、白色部分と黒色部分との境界領域における読取り画像のにじみを低減させることができ、正確な複写が可能になる。
【発明を実施するための最良の形態】
【０００８】
本発明の実施形態である照明装置、及び該照明装置を備えた画像読取装置について、図を参照しながら以下に説明する。尚、各図において、同一又は同様の構成部分については同じ符号を付している。
【０００９】
実施の形態１．
図１は、本発明の実施の形態１による照明装置１０１を備えた画像読取装置２０１の短軸方向４２の断面構成図である。ここで、短軸方向４２とは、図１に示すラインセンサ７の配列されている長軸方向４１（紙面を貫く方向）に直交する、紙面の左右方向であり、原稿送り方向に対応し副走査方向とも呼ぶ。尚、上記長軸方向４１とは、上述のようにラインセンサ７の配列方向に平行な方向であり、主走査方向とも呼ぶ。
【００１０】
画像読取装置２０１は、基本的構成部分として、照明装置１０１と、カバーガラス２と、ロッドレンズ６と、ラインセンサ７とを備える。ここで、照明装置１０１は、照明光学系を構成し、ロッドレンズ６、ラインセンサ７及び該ラインセンサ７を実装するセンサ基板８にて読取光学系を構成する。
【００１１】
カバーガラス２は、筐体１の上部に設けられ、透明平板の一例に相当する部材である。ロッドレンズ６は、筐体１内でカバーガラス２の下方にて、長軸方向４１である主走査方向４１に沿ってアレイ状に配列され延在するレンズである。ラインセンサ７は、ロッドレンズ６の直下にて主走査方向４１に沿ってアレイ状に配置され、ロッドレンズ６を介して入射する光を検出する。又、ラインセンサ７は、センサ基板８に設置されている。このようなロッドレンズ６、ラインセンサ７、及びセンサ基板８を有する読取光学系は、読取対象物の一例に相当する原稿３において主走査方向４１に沿った線状の読取対象位置３ｂの画像を読み取る。
【００１２】
又、カバーガラス２上には、主走査方向４１に沿って延在するプラテン４が設けられ、プラテン４は、原稿３をカバーガラス２に押圧するとともに、回転することで原稿３を原稿送り方向４３へ紙送りする。
【００１３】
照明装置１０１は、筐体１内でカバーガラス２の下方にて、短軸方向４２である副走査方向４２において上記読取光学系に隣接して、上記読取対象位置３ｂを含む領域に光が照射されるように配向して配置される。
本実施形態１における照明装置１０１は、導光体９、散乱体１１、光源５、及び拡散部材としての機能を果たす一例である円筒レンズアレイ１５を有する。導光体９は、本実施形態１では、円柱形状と角柱形状とを組み合わせた形状にてなり、主走査方向４１に沿って延在する。又、導光体９は、上記円柱形状に対応して、光源５からの光を出射し曲率を有する光出射面９１と、光出射面９１に対向し散乱体１１が設けられる平坦面９２とを有する。
【００１４】
光源５は、例えばＬＥＤ等の発光体にて構成され、主走査方向４１における導光体９の端面の両側又は片側に設けられる。
散乱体１１は、導光体９の長手方向、つまり主走査方向４１に沿って延在する上記平坦面９２に設けられ、導光体９と光学的にカップリングしており、光源５から導光体９内へ放射された光を散乱するように構成される。散乱体１１としては、例えば、導光体９の平坦面９２に白色顔料を塗布したものや、導光体９の平坦面９２自体にプリズム形状やエンボス形状の加工を施して構成することができる。尚、主走査方向４１における導光体９の照射光強度分布を均一化するため、主走査方向４１に対して散乱体１１に適切な分布を持たせるのが好ましい。
【００１５】
このような構成を有する導光体９では、光源５から放出された光は、導光体９内に取り込まれ、導光体９内を伝播する。導光体９を伝播する光は、導光体９に設けられた散乱体１１に当たり散乱されて一部の光が導光体９の光出射面９１から照明光照射方向に放射される。このように導光体９は、光源５が発した光を照明光照射方向に導く部材である。
【００１６】
円筒レンズアレイ１５は、導光体９から照射される光の光軸方向１０１ａにおいて導光体９と原稿３との間に配置され、主走査方向４１へ延在する透明な部材であり、導光体９の光出射面９１から出射される光を、及び原稿３の読取対象位置３ｂにて反射して円筒レンズアレイ１５を介して導光体９へ入射する光を拡散させる部材である。
【００１７】
具体的に円筒レンズアレイ１５では、図２に示すように、上記光軸方向１０１ａに直交する、円筒レンズアレイ１５の一方面１５ａには、複数の凸部１５ｄが主走査方向４１に沿って隙間無く連続して並設される。凸部１５ｄは、光軸方向１０１ａに凸となる形状であり、円筒レンズアレイ１５の長手方向に平行となる主走査方向４１及び光軸方向１０１ａに直交する直交方向１５ｃに沿って尾根線を有する例えば半楕円形状の断面にてなる。
一方、上記一方面１５ａに対向する他方面１５ｂは、平坦面である。
このような形状を有する円筒レンズアレイ１５は、平坦な他方面１５ｂを導光体９の光出射面９１に対向させ、かつ導光体９の光軸方向１０１ａが他方面１５ｂを垂直に貫通するように配置される。
【００１８】
以上のような構成を有する円筒レンズアレイ１５では、導光体９の光出射面９１から照明光照射方向、つまり光軸方向１０１ａに沿って放射された光は、円筒レンズアレイ１５の他方面１５ｂに入射した後、凸部１５ｄにて出射方向が拡散、散乱されて原稿３へ放射される。
【００１９】
図８には、円筒レンズアレイ１５を有しない、従来の画像読取装置において、原稿３へ進行する光、及び原稿３にて反射して照明装置へ入射する光を図示している。
導光体９を伝播する光の内、散乱体１１に当たり、散乱された光線３１は、原稿３方向へ向かい、原稿３の読取対象位置３ｂに当たり、原稿３により反射、散乱される。反射、散乱された光の一部は光線３３となり、再び導光体９に戻される。再び導光体９に入射した光は、散乱体１１で散乱され、再び、散乱された光線３５となり、再び原稿３の方向へ出射され、原稿３の読取対象位置３ｂに照射される。このような場合において、原稿３がコントラストの大きい画像、例えば、白黒の２値画像等であるときには、再度放射された光線３５のような光があると、照明照度が増加してしまう。よって、読み取られた画像では、黒色部分に白色が混ざるため、わずかな光でも画像ににじみが生じてしまう。
【００２０】
一方、円筒レンズアレイ１５を有する本実施形態の画像読取装置２０１における主走査方向４１に沿った図である図３では、原稿３へ進行する光、及び原稿３にて反射して照明装置へ入射する光を図示している。
導光体９を伝播する光の内、散乱体１１に当たり、散乱されて、原稿３方向へ向かう光線３１は、円筒レンズアレイ１５に入射し凸部１５ｄにて拡散され、屈曲された光線３２となり、原稿３の原稿面３ａに照射される。原稿３の原稿面３ａで反射された光線３３は、再び円筒レンズアレイ１５に入射するとき凸部１５ｄにて再び拡散され屈曲された光線３４となり、再び導光体９に入射する。
【００２１】
ここで、円筒レンズアレイ１５で屈曲された光線３４は、原稿面３ａで反射された光線３３に比べ、導光体９に対して大きな入射角度を有するため、光線３３が出射された原稿面３ａにおける原稿読取り位置から主走査方向４１に離れた位置にて、導光体９に再び入射され、散乱体１１で再び散乱される。
【００２２】
散乱体１１で再び散乱された光線３５は、再び円筒レンズアレイ１５にて拡散されて光線３７となり、原稿３へ向い、原稿３の読取り位置に照射される。
光線３７が再び原稿面３ａに照射される位置は、上記光線３２が照射された元の読取り位置から主走査方向４１に離れた位置であり、しかも光線３７が照射される光は、拡散して分布する。したがって、たとえ原稿面３ａにコントラストの大きい画像、例えば、白黒の２値画像が存在する場合であっても、読み取られた画像において、黒色部分へ白色が混ざることは少なく、画像のにじみが発生するのを低減することができる。
【００２３】
以上説明したように構成される本実施形態１の画像読取装置２０１における動作を説明する。
カバーガラス２に載置されプラテン４にて押圧された原稿３に対し、照明装置１０１は、光源５からの放出光を、カバーガラス２を介して原稿３の原稿面３ａに照射する。照明光は、導光体９の主走査方向４１に沿って延在する原稿面３ａにおける線状領域、つまり読取対象位置３ｂを照明する。このとき、照明装置１０１から出射され原稿面３ａで反射して照明装置１０１に戻り、再度、照明装置１０１から原稿３に照射されるような場合でも、照明装置１０１は、円筒レンズアレイ１５を有することから光が拡散され、読取対象位置３ｂ上の同じ位置を照射することは低減される。
【００２４】
又、原稿面３ａの画像を読み取った光は、主走査方向４１に沿ってアレイ状に配列されたロッドレンズ６のアレイによってラインセンサ７のアレイに１対１で正像転写され、各ラインセンサ７により電気信号に変換される。原稿３は、プラテン４により原稿送り方向４３に移動されることから、線状の照射光は、原稿面３ａ上では副走査方向４２に走査されることとなり、最終的に原稿面全体の情報が電気信号に変換される。
【００２５】
このように、導光体９と円筒レンズアレイ１５とを組み合わせた、本実施の形態１の照明装置１０１では、１次光が原稿面３ａに照射され反射した光が照明装置１０１に入射して再び２次光として原稿面３ａを照射した場合でも、円筒レンズアレイ１５の作用により２次光が照射される照度分布は広く、さらに１次光が照射され画像が読み取られた元の読取位置から離れた位置へ２次光は照射される。よって、読取対象位置３ｂにおける照度が増加するのを低減でき、その結果、にじみが少ない画像を再現することができ、原稿３に対して正確な複写が可能となる。
【００２６】
尚、画像読取装置２０１では、光源５からの光が原稿３に適切に到達するように、照明光学系が適宜調整され、かつ原稿面３ａからの光がラインセンサ７に適切に到達するように、読取光学系が適宜調整される。
【００２７】
本実施形態では、上述のように円筒レンズアレイ１５の凸部１５ｄは、主走査方向４１及び光軸方向１０１ａに直交する直交方向１５ｃに沿って尾根線を有するように形成されている。該構成によれば、上述したように元の画像読み取り位置から、より離れた位置に再照射光を到達させることができて最も好ましい。しかしながら、円筒レンズアレイ１５の機能は、光を拡散させることにあるので、凸部１５ｄの尾根線は、必ずしも直交方向１５ｃに沿う必要はない。但し、上記尾根線が主走査方向４１に一致したときには、読取対象位置３ｂの延在方向に一致してしまうので、円筒レンズアレイ１５の光拡散機能が期待できなくなる。よって、上記尾根線は、主走査方向４１以外の方向に延在すればよい。
【００２８】
又、上述の実施形態では、導光体９は、円柱形状と角柱形状とを組合せた形状にてなるが、円柱、あるいは楕円柱の形状であっても良い。
又、導光体９の長手方向に直交する短軸方向における断面の大きさは、光源５であるＬＥＤのサイズ、装置の小型化などを考慮して、１辺の長さが２ｍｍから８ｍｍ、好ましくは４ｍｍから６ｍｍが適当である。
【００２９】
さらに、導光体９、円筒レンズアレイ１５の材料は、透明材料であれば、アクリル、ポリカーボネイト等の樹脂材や、ガラス材料であっても良い。
【００３０】
また、上述の実施の形態では、光源５は、導光体９の端面に設置しているが、散乱体１１の背面に、ＬＥＤ等からなる光源５を多数並べ、該光源５から放射する光を、散乱体１１を介して導光体９内で散乱させ、本実施の形態と同様に、散乱された光の一部を照明光照射方向に放射させ、残りの光を導光体９内に閉じ込めて再度散乱体で散乱させるようにしても良い。
【００３１】
さらには、光源を設置せず、散乱体１１を平面発光体型の自発光の散乱体で構成してもよい。
【００３２】
尚、本実施形態１では、ロッドレンズ６、ラインセンサ７及びセンサ基板８にて構成される読取光学系の片側にのみ照明装置１０１を配置しているが、副走査方向４２において上記読取光学系を間に挟み両側に配置することもできる。このような構成によれば、読取対象位置３ｂでの光量を増加することができる効果がある。
【００３３】
又、上記実施の形態では、照明装置１０１は、画像読取装置用として説明したが、本実施の形態で用いた照明装置１０１を他の装置に用いてもよい。上述の照明装置１０１によれば、必要な照射領域に効率よく光を照射することが可能となり、同様に、光強度を向上することができる。
【００３４】
実施の形態２．
図４は、本発明の実施の形態２による画像読取装置２０２の副走査方向４２における断面構成図である。
【００３５】
実施の形態２による画像読取装置２０２の基本的な構成は、上述した実施形態１の画像読取装置２０１の場合に同様であり、照明装置１０１に代わる照明装置１０２と、カバーガラス２と、ロッドレンズ６と、ラインセンサ７とを備える。上述した実施形態１の画像読取装置２０１に備わる照明装置１０１では、導光体９及び円筒レンズアレイ１５を備え、該導光体９は、円柱形状と角柱形状とを組み合わせた形状にてなる部材であり、該導光体９から出射された光は、円筒レンズアレイ１５を通して原稿３に照射していた。
【００３６】
これに対し、実施の形態２による画像読取装置２０２に備わる照明装置１０２は、導光体１０及び円筒レンズアレイ１５に加えて円筒レンズ１２をさらに備える。又、導光体１０は、主走査方向４１に延在する円柱形状にてなる。このような照明装置１０２では、導光体１０から出射された光が円筒レンズ１２を通り、円筒レンズアレイ１５を通して原稿３に照射される。
【００３７】
尚、照明装置１０１と照明装置１０２との相違点を除き、画像読取装置２０１と画像読取装置２０２とにおいて構成上の差異はない。よって、以下には、照明装置１０２についてのみ説明を行い、画像読取装置２０２におけるその他の構成部分についてのここでの説明は、省略する。
【００３８】
照明装置１０２も、上述した照明装置１０１と同様に、筐体１内でカバーガラス２の下方にて、副走査方向４２において上記読取光学系に隣接して、上記読取対象位置３ｂを含む領域に光が照射されるように配向して配置される。
本実施形態２における照明装置１０２は、導光体１０、散乱体１１、円筒レンズ１２、光源５、及び円筒レンズアレイ１５を有する。導光体１０は、主走査方向４１に沿って延在し光源５が発した光を導く部材であり、円柱形状にてなる。導光体１０からの出射光の光軸１０２ａに沿って、導光体１０の光出射面９３に対向する導光体１０の底部の平面部には、実施形態１にて説明した散乱体１１が設けられる。さらに、主走査方向４１における導光体１０の端面の両側又は片側には、実施形態１にて説明した光源５が設けられる。
【００３９】
円筒レンズ１２は、蒲鉾形の断面を有し主走査方向４１に延在するレンズであり、円筒レンズ１２における光軸方向において凸状の円筒面９４と、該円筒面９４に対向する平坦面９５とを有する。このような円筒レンズ１２は、導光体１０の光出射面９３に円筒面９４を対向させて、導光体１０に隣接して配置される。又、円筒レンズ１２における光軸と、導光体１０における光軸１０２ａとは一致している。
このような円筒レンズ１２は、導光体１０から出射した光を集光する機能を有する。
【００４０】
円筒レンズ１２の平坦面９５に対して、円筒レンズアレイ１５の平坦な他方面１５ｂを対向させ、かつ平坦面９５と他方面１５ｂとを隙間を介して平行に配置する。尚、図４では、円筒レンズ１２の光軸と、円筒レンズアレイ１５の光軸とは一致している構成を示している。しかし、円筒レンズ１２の光軸と、円筒レンズアレイ１５の光軸は、必要な照明範囲に照明光を照射する関係であればよい。
【００４１】
よって、照明装置１０２において、導光体１０に設けた光源５から放出された光は、円柱導光体１０内に取り込まれ、導光体１０内を伝播する。導光体１０を伝播する光は、導光体１０に設けた散乱体１１に当たり、散乱されて一部の光が導光体１０から照明光照射方向に放射される。照明光照射方向に放出された光は、円筒レンズ１２により集光され、円筒レンズ１２の平坦面９５を出射して、円筒レンズアレイ１５を通り、凸部１５ｄを形成した円筒レンズアレイ１５の一方面１５ａから原稿３の原稿面３ａに照射される。
本実施形態２では円筒レンズ１２を備えたことより、円筒レンズアレイ１５を備えているものの、円筒レンズ１２の集光作用により、必要な照明範囲に照明光を照射できるため、効率の良い照明が可能になる。
【００４２】
尚、画像読取装置２０２においても、光源５からの光が原稿３に適切に到達するように、照明光学系が適宜調整され、かつ原稿面３ａからの光がラインセンサ７に適切に到達するように、読取光学系が適宜調整される。
【００４３】
以上のように構成される画像読取装置２０２においても、上述した実施形態１の画像読取装置２０１の場合と同様に、カバーガラス２に載置されプラテン４にて押圧された原稿３に対し、照明装置１０２は、光源５からの放出光を、カバーガラス２を介して原稿３の原稿面３ａに照射する。照明光は、導光体１０の主走査方向４１に沿って延在する原稿面３ａにおける線状領域、つまり読取対象位置３ｂを照明する。このとき、照明装置１０２から出射された光が原稿面３ａで反射して照明装置１０２に戻り、再度、照明装置１０２から原稿３に照射されるような場合でも、照明装置１０２は、円筒レンズアレイ１５を有することから、出射光は拡散され、読取対象位置３ｂ上の同じ位置に照射されることは低減される。
【００４４】
このように、本実施の形態２の照明装置１０２においても、１次光が原稿面３ａに照射され反射した光が照明装置１０２に入射して再び２次光として原稿面３ａを照射した場合でも、円筒レンズアレイ１５の作用により２次光が照射される照度分布は広く、さらに１次光が照射され画像が読み取られた、読取対象位置３ｂ上の元の読取位置から離れた位置へ２次光は照射される。よって、にじみが少ない画像を再現することができ、原稿３に対して正確な複写が可能となる。
【００４５】
ここで、円柱導光体１０は、光源５であるＬＥＤのサイズ、装置の小型化などを考慮して、直径２ｍｍから８ｍｍ、好ましくは３ｍｍから６ｍｍが適当である。この場合、円筒レンズ１２の曲率半径を２ｍｍから６ｍｍ程度にすることにより、原稿面３ａの近傍で照明光を集光光束あるいは概略平行光束に制御することができる。
【００４６】
又、円筒レンズ１２の円筒面９４を楕円面、放物面等の非球面形状にすることで、さらに照明光束を効率よく制御することができる。
【００４７】
尚、円柱導光体１０の直径は、上記範囲に限定されるものではなく、本実施の形態の照明光学系を用いる装置に応じて適宜選択すればよい。又、円筒レンズ１２の曲率半径に関しても、最終的に得られる照明光に応じて決定すればよい。
【００４８】
さらに、円柱導光体１０、円筒レンズ１２、円筒レンズアレイ１５の材料は、透明材料であれば、アクリル、ポリカーボネイト等の樹脂材や、ガラス材料であっても良い。
【００４９】
散乱体１１は円柱導光体１０と光学的にカップリングしており、導光体１０内の光を散乱するように構成される。散乱体１１としては、例えば、円柱導光体１０に白色顔料を塗布したものや、導光体１０自体にプリズム形状やエンボス形状の加工を施したものが考えられる。
さらに、主走査方向４１の照射光強度分布を均一化するため、散乱体１１として白色顔料を塗布する際、あるいはプリズム形状やエンボス形状の加工の際、主走査方向４１に対して適切な分布を持たせるとよい。
【００５０】
尚、実施形態１にて説明した変形、変更例に関する記述は、当該実施形態２の照明装置１０２及び画像読取装置２０２に対しても適用可能である。
【００５１】
実施の形態３．
図５は、本発明の実施の形態３による画像読取装置２０３の副走査方向４２における断面構成図である。又、図６には、画像読取装置２０３の主要構成部分を斜視図にて図示し、図７には、画像読取装置２０３に備わる照明装置１０３の主要構成部分を斜視図にて図示している。
【００５２】
実施の形態３の画像読取装置２０３の基本的な構成は、上述した実施形態２の画像読取装置２０２の場合に同様であり、照明装置１０２に代わる照明装置１０３と、カバーガラス２と、ロッドレンズ６と、ラインセンサ７とを備える。上述した実施形態２の画像読取装置２０２に備わる照明装置１０２では、円筒レンズ１２と円筒レンズアレイ１５とは、隙間を介して離れて配置されている。これに対し、実施の形態３による画像読取装置２０３に備わる照明装置１０３では、円筒レンズ１２と円筒レンズアレイ１５とは離れておらず一体的に形成されている。尚、照明装置１０２と照明装置１０３との相違点を除き、画像読取装置２０２と画像読取装置２０３とにおいて構成上の差異はない。よって、以下には、照明装置１０３についてのみ説明を行い、画像読取装置２０３におけるその他の構成部分についてのここでの説明は、省略する。
【００５３】
上述したように照明装置１０３では、円筒レンズ１２と円筒レンズアレイ１５とは一体的に形成されている。即ち、円筒レンズ１２の平坦面９５と、円筒レンズアレイ１５の平坦な他方面１５ｂとが密着され、一つの部材になった状態である。尚、一体的に形成とは、このように両者を密着させた状態のみならず、図７に示すように、円筒レンズ１２と円筒レンズアレイ１５とを一体成型した場合も含む。
【００５４】
このように円筒レンズ１２と円筒レンズアレイ１５とを一体的に形成することにより、構成部品を削減でき、かつ、境界面が減少することから境界面での反射による光損失を低減することができる。
【００５５】
尚、実施形態１にて説明した変形、変更例に関する記述は、当該実施形態３の照明装置１０３及び画像読取装置２０３に対しても適用可能である。
【００５６】
又、上述した各実施形態における構成を適宜組み合わせた構成を採ることも可能である。
【図面の簡単な説明】
【００５７】
【図１】本発明の実施の形態１による画像読取装置の断面図である。
【図２】図１に示す画像読取装置に備わる円筒レンズアレイの斜視図である。
【図３】図１に示す画像読取装置において、照明装置と原稿との間での光の軌跡を説明する模式図である。
【図４】本発明の実施の形態２による画像読取装置の断面図である。
【図５】本発明の実施の形態３による画像読取装置の断面図である。
【図６】図５に示す画像読取装置における主要構成部分の斜視図である。
【図７】図５に示す画像読取装置に備わる照明装置の要部を示す斜視図である。
【図８】従来の画像読取装置において、照明装置と原稿との間での光の軌跡を説明する模式図である。
【符号の説明】
【００５８】
３  原稿、３ｂ  読取対象位置、  ５  光源、  ６  ロッドレンズ、
７  ラインセンサ、  ９、１０  導光体、  １１  散乱体、  １２  円筒レンズ、
１５  円筒レンズアレイ、  １５ｄ  凸部、
４１  主走査方向、  ４２  副走査方向、
９１  光出射面、  ９２  平坦面、  ９４  円筒面、  ９５  平坦面、
１０１，１０２，１０３  照明装置、  ２０１，２０２，２０３  画像読取装置。
【図１】
2009077005.tif 000003
【図２】
2009077005.tif 000004
【図３】
2009077005.tif 000005
【図４】
2009077005.tif 000006
【図５】
2009077005.tif 000007
【図６】
2009077005.tif 000008
【図７】
2009077005.tif 000009
【図８】
2009077005.tif 000010